(57)【特許請求の範囲】
【請求項１】
ベース部材と、前記ベース部材に着脱可能に取り付けられる円筒状のカートリッジと、前記カートリッジに着脱可能に取り付けられるハンドルと、を備えるセントラル方式の浄水器であって、
前記ベース部材の上部には、前記カートリッジの下部が挿入されるカートリッジ挿入部が設けられ、
前記カートリッジの下部の外周面には、係止部が設けられ、
前記カートリッジ挿入部の内周面には、前記係止部が係止する被係止部が設けられ、
前記被係止部には、切欠き部が設けられ、
前記カートリッジを前記カートリッジ挿入部に挿入するときに、前記係止部が前記切欠き部を通過し、前記カートリッジの挿入後、前記カートリッジに取り付けられた前記ハンドルを回転させることによって前記カートリッジを前記カートリッジ挿入部に対して回転させると前記係止部が前記被係止部に係止され、
前記カートリッジの上部には、前記ハンドルが装着されるハンドル装着部が設けられ、
前記ハンドルの下部には、第２係止部が設けられ、
前記ハンドル装着部の上部には、前記第２係止部が係止する第２被係止部が設けられ、
前記第２被係止部には、第２切欠き部が設けられ、
前記ハンドルを前記ハンドル装着部に装着するときに、前記第２係止部が前記第２切欠き部を通過し、前記ハンドルの装着後、前記ハンドルを前記カートリッジに対して回転させると前記第２係止部が前記第２被係止部に係止して前記カートリッジが回転することを特徴とする浄水器。
【請求項２】
前記カートリッジの回転後、前記切欠き部にロックプレート部材が差し込まれて、前記カートリッジが回転不能に固定される、請求項１に記載の浄水器。
【請求項３】
前記カートリッジが樹脂製である、請求項１または請求項２に記載の浄水器。
【請求項４】
前記ベース部材には、処理前の水が流入する流入配管と、処理後の水が流出する流出配管が接続されており、
前記流出配管には、前記カートリッジを交換する際、前記流入配管からの流入停止後に、内部の圧力を抜くための排水弁が設けられている、請求項１〜請求項３のいずれかに記載の浄水器。
【発明の詳細な説明】
【技術分野】
【０００１】
本発明は、家庭内全体に浄水を供給するセントラル方式の浄水器に関する。
【背景技術】
【０００２】
近年、水道水の殺菌処理により、飲み水としての味が低下している。また、衛生面の観点 や、家庭敷地内の設置に関する規制緩和により、家庭内全体に浄水を供給するセントラル方式の浄水器（セントラル浄水器）の設置の需要が高まっている。
【０００３】
ところで、このようなセントラル浄水器は、内部に濾材が充填されたカートリッジを有しており、このカートリッジは、所定の使用期間経過ごと（例えば１年ごと）に交換する必要がある。カートリッジの交換に当たっては、従来、業者がユーザの所に出向き、カートリッジの交換作業を行っていた。
【先行技術文献】
【特許文献】
【０００４】
【特許文献１】特開２００４−３３８６５号公報
【発明の概要】
【発明が解決しようとする課題】
【０００５】
近年、セントラル浄水器の普及にともなって、従来のように業者がカートリッジの交換をするのではなく、ユーザ自身の手でカートリッジの交換を行いたいという要望が高まってきた。しかしながら、従来のセントラル浄水器では、カートリッジの交換手順が複雑であり、熟練度を要する作業が要求されるため、ユーザ自身の手でカートリッジの交換を行うことは極めて困難であった。
【０００６】
本発明は、上記の課題に鑑みてなされたもので、ユーザ自身の手で簡単にカートリッジの交換をすることのできる浄水器を提供することを目的とする。
【０００７】
本発明の浄水器は、ベース部材と、ベース部材に着脱可能に取り付けられる円筒状のカートリッジと、カートリッジに着脱可能に取り付けられるハンドルと、を備えるセントラル方式の浄水器であって、ベース部材の上部には、カートリッジの下部が挿入されるカートリッジ挿入部が設けられ、カートリッジの下部の外周面には、係止部が設けられ、カートリッジ挿入部の内周面には、係止部が係止する被係止部が設けられ、被係止部には、切欠き部が設けられ、カートリッジをカートリッジ挿入部に挿入するときに、係止部が切欠き部を通過し、カートリッジの挿入後、カートリッジに取り付けられたハンドルを回転させることによってカートリッジをカートリッジ挿入部に対して回転させると係止部が被係止部に係止されている。
【０００８】
この構成により、カートリッジをカートリッジ挿入部に挿入するときに、係止部が切欠き部を通過し、カートリッジの挿入後、カートリッジに取り付けられたハンドルを回転させることによって、カートリッジをカートリッジ挿入部に対して回転させることができる。カートリッジをカートリッジ挿入部に対して回転させると、係止部が被係止部に係止される。このようにして、ハンドルを用いて簡単にカートリッジを回転させることができ、ユーザ自身の手で簡単にカートリッジの交換を行うことが可能となる。
【０００９】
また、本発明の浄水器では、カートリッジの上部には、ハンドルが装着されるハンドル装着部が設けられ、ハンドルの下部には、第２係止部が設けられ、ハンドル装着部の上部には、第２係止部が係止する第２被係止部が設けられ、第２被係止部には、第２切欠き部が設けられ、ハンドルをハンドル装着部に装着するときに、第２係止部が第２切欠き部を通過し、ハンドルの装着後、ハンドルをカートリッジに対して回転させると第２係止部が第２被係止部に係止してカートリッジが回転してもよい。
【００１０】
この構成により、ハンドルをハンドル装着部に装着するときに、第２係止部が第２切欠き部を通過し、ハンドルの装着後、ハンドルをカートリッジに対して回転させると第２係止部が第２被係止部に係止してカートリッジを回転させることができる。このようにして、ハンドルを用いて簡単にカートリッジを回転させることができる。
【００１１】
また、本発明の浄水器では、カートリッジの回転後、切欠き部にロックプレート部材が差し込まれて、カートリッジが回転不能に固定されてもよい。
【００１２】
この構成により、カートリッジの回転後、切欠き部にロックプレート部材を差し込むと、カートリッジが回転不能に固定される。このようにして、ロックプレート部材を用いて簡単にカートリッジを固定することができる。
【００１３】
また、本発明の浄水器では、カートリッジが樹脂製であってもよい。
【００１４】
この構成により、金属製のカートリッジに比べて、カートリッジの軽量化を図ることができ、ユーザ自身の手でカートリッジの交換を行うことが容易になる。
【００１５】
また、本発明の浄水器では、ベース部材には、処理前の水が流入する流入配管と、処理後の水が流出する流出配管が接続されており、流出配管には、カートリッジを交換する際、流入配管からの流入停止後に、内部の圧力を抜くための排水弁が設けられてもよい。
【００１６】
この構成により、カートリッジを交換する際、流入配管からの流入停止後に、排水弁を開いて、内部の圧力を抜くことできる。このようにして、カートリッジを交換する際の安全を確保することができる。
【発明の効果】
【００１７】
本発明によれば、ユーザ自身の手で簡単にカートリッジの交換をすることができる。
【図面の簡単な説明】
【００１８】
【図１】本発明の実施の形態における浄水器（カバーを取り付けた状態）の斜視図である。
【図２】本発明の実施の形態における浄水器（カバーを取り外した状態）の斜視図である。
【図３】本発明の実施の形態における浄水器の分解斜視図である。
【図４】本発明の実施の形態における浄水器の側断面図である。
【図５】本発明の実施の形態におけるカートリッジの取り付け手順の説明図である。
【図６】本発明の実施の形態におけるカートリッジの取り付け手順の説明図である。
【図７】本発明の実施の形態におけるカートリッジの取り付け手順の説明図である。
【図８】本発明の実施の形態におけるカートリッジの取り外し手順の説明図である。
【図９】本発明の実施の形態におけるカートリッジの取り外し手順の説明図である。
【図１０】本発明の実施の形態におけるカートリッジの取り外し手順の説明図である。
【発明を実施するための形態】
【００１９】
以下、本発明の実施の形態の浄水器について、図面を用いて説明する。本実施の形態では、家庭内全体に浄水を供給するセントラル方式の浄水器の場合を例示する。セントラル浄水器は、例えば玄関先や庭先などに設置される。
【００２０】
本発明の実施の形態の浄水器の構成を、図面を参照して説明する。図１〜図４は、本実施の形態の浄水器の構成を説明するための図である。図１および図２に示すように、浄水器１は、本体２と、本体２を覆うカバー３を有している。カバー３は、下部が開口した略円筒状であり、カバー３の上部には、把持部４が設けられている。ユーザは、把持部４を手でつかんでカバー３の取り付け／取り外しを行うことができる。
【００２１】
図２および図３に示すように、浄水器１の本体２は、ベース部材５と、ベース部材５に着脱可能に取り付けられる円筒状のカートリッジ６を備えている。カートリッジ６には、ハンドル７が着脱可能に取り付けられる。ユーザは、ハンドル７を手でつかんでカートリッジ６の取り付け／取り外しを行うことができる。
【００２２】
ベース部材５の側部には、処理前の水が流入する流入配管８と、処理後の水が流出する流出配管９が接続されている。流出配管９には、排水弁１０が設けられている。この排水弁１０により、カートリッジ６を交換する際（流入配管８からの水の流入停止後）に、内部の圧力を抜くことができる。ベース部材５の上部には、カートリッジ挿入部１１が設けられている。このカートリッジ挿入部１１に、カートリッジ６の下部が挿入される。
【００２３】
カートリッジ６の下部の外周面には、複数（例えば４つ）の係止部１２が突出して設けられている。カートリッジ挿入部１１の内周面には、円環状の被係止部１３が突出して設けられている。被係止部１３には、複数（例えば４つ）の切欠き部１４が設けられている。切欠き部１４は、係止部１２が通過できる大きさに設定されている。カートリッジ６をカートリッジ挿入部１１に挿入した後、カートリッジ６をカートリッジ挿入部１１に対して回転させると、係止部１２が被係止部１３に係止する（図４参照）。さらに、この浄水器１は、ロックプレート部材１５を備えている。カートリッジ６の回転後、切欠き部１４にロックプレート部材１５を差し込むと、カートリッジ６が回転不能に固定される。
【００２４】
カートリッジ６の内部には、濾材（図示せず）が設けられている。濾材は、例えば活性炭などで構成されており、水道水（処理前の水）に含まれる過剰な塩素やゴミ、鉄さびなどを除去することができる。
【００２５】
図３および図４に示すように、カートリッジ６の上部には、ハンドル７が装着されるハンドル装着部１６が設けられている。ハンドル７の上部には、取手部１７が設けられている。取手部１７は、側面視で略コの字状とされている。ユーザは、取手部１７を手でつかんでハンドル７を回転させることができる。ハンドル７の下部には、一対の第２係止部１８が突出して設けられている。第２係止部１８は、ハンドル７の下面から下側に向けて突出して設けられている。第２係止部１８は、外周側に向けて屈曲しており、側面視で略Ｌ字状とされている（図４参照）。ハンドル装着部１６には、円環状の第２被係止部１９が設けられている。第２被係止部１９には、複数（例えば４つ）の第２切欠き部２０が設けられている。第２切欠き部２０は、第２係止部１８が通過できる大きさに設定されている。
【００２６】
ハンドル７の第２係止部１８を第２切欠き部２０に通過させた後、ハンドル７をカートリッジ６に対して右回り（時計回り）に回転させると、第２係止部１８が第２被係止部１９の内部の壁部（図示せず）に係止し、カートリッジ６を右回り（時計回り）に回転させることができる（図４参照）。また、ハンドル７の第２係止部１８を第２切欠き部２０に通過させた後、ハンドル７をカートリッジ６に対して左回り（反時計回り）に回転させると、第２係止部１８が第２被係止部１９の内部のもう一方の壁部（図示せず）に係止し、カートリッジ６を左回り（反時計回り）に回転させることができる。
【００２７】
カートリッジ６の不使用時（例えば、長期不在にする場合など）には、カートリッジ６の代わりに、バイパスカバー２１がベース部材５に取り付けられる（図３参照）。バイパスカバー２１を取り付けた状態では、流入配管８から流入した水道水がそのまま（過剰な塩素やゴミ、鉄さびなどが除去されずに）流出配管９から流出する。なお、このバイパスカバー２１の上部にも、カートリッジ６と同様のハンドル装着部１６が設けられており、ハンドル７を用いて取り付け／取り外しができるように構成されている。
【００２８】
本実施の形態では、カバー３やカートリッジ６は、樹脂製である。樹脂としては、例えば、ポリフッ化ビニリデン（ＰＶＤＦ）、スチレン系３元共重合体（ＡＢＳ樹脂、ＡＥＳ樹脂、ＡＡＳ樹脂、ＡＣＳ樹脂）などが用いられる。
【００２９】
以上のように構成された浄水器１のカートリッジ６の取り付け／取り外しの手順について、図面を参照してその動作を説明する。
【００３０】
図５〜図７は、本実施の形態の浄水器１においてカートリッジ６を取り付ける手順の説明図である。カートリッジ６を取り付ける場合には、まず、図５に示すように、カートリッジ６をベースに差し込む。つぎに、図６に示すように、カートリッジ６のハンドル装着部１６にハンドル７を装着して、ハンドル７を右回り（時計回り）に回す。
【００３１】
カートリッジ６のハンドル装着部１６にハンドル７を装着するときには、第２係止部１８が第２切欠き部２０を通過する。そして、ハンドル７をカートリッジ６に対して右回り（時計回り）に回転させると、第２係止部１８が第２被係止部１９の壁部に係止して、カートリッジ６が右回り（時計回り）に回転する。このようにして、カートリッジ６を右回り（時計回り）に回転させると、カートリッジ６の係止部１２が被係止部１３に係止する。その後、図７に示すように、ロックプレート部材１５を切欠き部１４に差し込むと、カートリッジ６が回転不能に固定される。なお、図７では、１つのロックプレート部材１５を差し込んでカートリッジ６を固定する場合について例示されているが、複数のロックプレート部材１５を差し込んでカートリッジ６を固定してもよい。このようにして、カートリッジ６の取り付けが完了したら、浄水器１の本体２の上側からカバー３を取り付けて、流入配管８と流出配管９の弁を開ける。
【００３２】
図８〜図１０は、本実施の形態の浄水器１においてカートリッジ６を取り外す手順の説明図である。カートリッジ６を取り外す前に、まず、流入配管８と流出配管９の弁を閉めて、流入配管８からの流入および流出配管９からの流出を停止する。その後、排水弁１０を開いて、内部の圧力を抜く。そして、浄水器１のカバー３を取り外して本体２を露出させる。
【００３３】
つぎに、図８に示すように、ロックプレート部材１５を切欠き部１４から引き抜く。これにより、カートリッジ６が左回り（反時計回り）に回転可能になる。そして、カートリッジ６のハンドル装着部１６にハンドル７を装着して、図９に示すように、ハンドル７を左回り（反時計回り）に回す。カートリッジ６のハンドル装着部１６にハンドル７を装着するときには、第２係止部１８が第２切欠き部２０を通過する。そして、ハンドル７をカートリッジ６に対して左回り（反時計回り）に回転させると、第２係止部１８が第２被係止部１９のもう一方の壁部に係止して、カートリッジ６が左回り（反時計回り）に回転する。このようにして、カートリッジ６を左回り（反時計回り）に回転させると、カートリッジ６の係止部１２が切欠き部１４から露出した状態になる。そして、図１０に示すように、カートリッジ６をベースから引き抜く。このようにして、カートリッジ６の取り外しが完了する。
【００３４】
このような本実施の形態の浄水器１によれば、カートリッジ６をカートリッジ挿入部１１に挿入するときに、係止部１２が切欠き部１４を通過し、カートリッジ６の挿入後、カートリッジ６に取り付けられたハンドル７を回転させることによって、カートリッジ６をカートリッジ挿入部１１に対して回転させることができる。カートリッジ６をカートリッジ挿入部１１に対して回転させると、係止部１２が被係止部１３に係止される。このようにして、ハンドル７を用いて簡単にカートリッジ６を回転させることができ、ユーザ自身の手で簡単にカートリッジ６の交換を行うことが可能となる。
【００３５】
また、本実施の形態では、ハンドル７をハンドル装着部１６に装着するときに、第２係止部１８が第２切欠き部２０を通過し、ハンドル７の装着後、ハンドル７をカートリッジ６に対して回転させると第２係止部１８が第２被係止部１９に係止してカートリッジ６を回転させることができる。このようにして、ハンドル７を用いて簡単にカートリッジ６を回転させることができる。
【００３６】
また、本実施の形態では、カートリッジ６の回転後、切欠き部１４にロックプレート部材１５を差し込むと、カートリッジ６が回転不能に固定される。このようにして、ロックプレート部材１５を用いて簡単にカートリッジ６を固定することができる。
【００３７】
また、本実施の形態では、カートリッジ６が樹脂製であるので、金属製のカートリッジに比べて、カートリッジ６の軽量化を図ることができ、ユーザ自身の手でカートリッジ６の交換を行うことが容易になる。
【００３８】
また、本実施の形態では、カートリッジ６を交換する際、流入配管８からの流入停止後に、排水弁１０を開いて、内部の圧力を抜くことできる。このようにして、カートリッジ６を交換する際の安全を確保することができる。
【００３９】
以上、本発明の実施の形態を例示により説明したが、本発明の範囲はこれらに限定されるものではなく、請求項に記載された範囲内において目的に応じて変更・変形することが可能である。
【産業上の利用可能性】
【００４０】
以上のように、本発明にかかる浄水器は、ユーザ自身の手で簡単にカートリッジの交換をすることができるという効果を有し、家庭内全体に浄水を供給するセントラル方式の浄水器等として有用である。
【符号の説明】
【００４１】
１  浄水器
２  本体
３  カバー
４  把持部
５  ベース部材
６  カートリッジ
７  ハンドル
８  流入配管
９  流出配管
１０  排水弁
１１  カートリッジ挿入部
１２  係止部
１３  被係止部
１４  切欠き部
１５  ロックプレート部材
１６  ハンドル装着部
１７  取手部
１８  第２係止部
１９  第２被係止部
２０  第２切欠き部
２１  バイパスカバー
【要約】
【課題】  ユーザ自身の手で簡単にカートリッジの交換をすることのできる浄水器を提供する。
【解決手段】  セントラル式の浄水器１のベース部材５の上部には、カートリッジ６の下部が挿入されるカートリッジ挿入部１１が設けられる。カートリッジ６の下部の外周面には、係止部１２が設けられ、カートリッジ挿入部１１の内周面には、係止部１２が係止する被係止部１３が設けられる。被係止部１３には、切欠き部１４が設けられる。カートリッジ６をカートリッジ挿入部１１に挿入するときには、係止部１２が切欠き部１４を通過する。カートリッジ６の挿入後、カートリッジ６に取り付けられたハンドル７を回転させることにより、カートリッジ６をカートリッジ挿入部１１に対して回転させると、係止部１２が被係止部１３に係止される。
【選択図】  図３【図１】
0005702496.tif 000002
【図２】
0005702496.tif 000003
【図３】
0005702496.tif 000004
【図４】
0005702496.tif 000005
【図５】
0005702496.tif 000006
【図６】
0005702496.tif 000007
【図７】
0005702496.tif 000008
【図８】
0005702496.tif 000009
【図９】
0005702496.tif 000010
【図１０】
0005702496.tif 000011